(57)【要約】【課題】商品の載置によって傾斜を生じない入れ子からなる商品陳列用具を提供すること。【解決手段】入れ子をなす外側の箱状体（１２）及び内側の箱状体（１４）を含む商品陳列用具に係り、両箱状体がそれぞれこれらを同一平面上にかつ該平面と平行に支持するための複数の脚部（３４，３６）を有する。さらに、外側の箱状体が商品陳列用具と同一の他の商品陳列用具の脚部を受け入れ可能である複数の凹部（４２）を有する。【選択図】図１
2005288033.tif 000002
【特許請求の範囲】
【請求項１】
入れ子をなす外側の箱状体及び内側の箱状体を含む商品陳列用具であって、両箱状体はそれぞれこれらを同一平面上にかつ該平面と平行に支持するための複数の脚部を有する、商品陳列用具。
【請求項２】
前記外側の箱状体は、前記商品陳列用具と同一の他の商品陳列用具の脚部を受け入れ可能である複数の凹部を有する、請求項１に記載の商品陳列用具。
【請求項３】
前記内側の箱状体はその両側壁に一対のつば部を有し、前記外側の箱状体はその内部に前記内側の箱状体の両つば部がそれぞれ載置された複数対の肩部を有する、請求項１又は２に記載の商品陳列用具。
【請求項４】
前記外側の箱状体及び前記内側の箱状体は、それぞれ、開放底面を有する、請求項１〜３のいずれか１項に記載の商品陳列用具。
【発明の詳細な説明】
【技術分野】
【０００１】
本発明は、大小一組の箱状体からなる入れ子を含む商品陳列用具に関する。
【背景技術】
【０００２】
スーパーマーケットのような店舗における商品陳列のため、大小一組の箱状体からなる入れ子を含む商品陳列用具が用いられている。
【０００３】
この商品陳列用具は、店舗内に設置される陳列台や冷蔵ショーケース内に配置され、この上に載せられる商品の種類、その量、陳列スペース等を考慮して、外側の箱状体の中に内側の箱状体を納めた状態又は外側の箱状体から内側の箱状体を引き出した状態、あるいは前記商品陳列用具の上にさらにこれと同一の他の商品陳列用具を載せた状態で使用される。
【発明の開示】
【発明が解決しようとする課題】
【０００４】
ところで、前記入れ子の商品陳列用具には、外側の箱状体と、これから出し入れされる内側の箱状体との間に、前記外側の箱状体の頂壁の肉厚に相当する大きさの段差が存する。この段差のため、前記外側の箱状体から前記内側の箱状体を引き出した状態で使用し、あるいはこの状態の両箱状体の上に同じ商品陳列用具を載置した状態で使用するとき、商品の載置に伴い、前記状態の商品陳列用具に傾きが生じ、このために商品の陳列効果が損なわれるという問題があった。
【０００５】
本発明の目的は、商品の載置によって傾斜を生じない入れ子からなる商品陳列用具を提供することにある。
【課題を解決するための手段】
【０００６】
本発明は、入れ子をなす外側の箱状体及び内側の箱状体を含む商品陳列用具に係り、両箱状体がそれぞれこれらを同一平面上にかつ該平面と平行に支持するための複数の脚部を有する。さらに、前記外側の箱状体が前記商品陳列用具と同一の他の商品陳列用具の脚部を受け入れ可能である複数の凹部を有するものとすることができる。
【０００７】
好ましくは、前記内側の箱状体はその両側壁に一対のつば部を有し、前記外側の箱状体はその内部に前記内側の箱状体の両つば部がそれぞれ載置される複数対の肩部を有する。前記外側の箱状体及び前記内側の箱状体は、それぞれ、開放底面を有するものとすることができる。
【発明の効果】
【０００８】
本発明によれば、入れ子をなす外側の箱状体及び内側の箱状体がそれぞれ脚部を有し、これらの脚について両箱状体を同一平面上にかつ該平面と平行に支持するものとしたことから、前記外側の箱状体及びこれから引き出された内側の箱状体のいずれをも例えば水平状態に保つことができ、この状態は載置される商品の偏り、載置量等に拘わらず維持され、このため前記商品陳列用具に傾きは生じない。
【０００９】
また、前記外側の箱状体が他の同一の商品陳列用具の脚部を受け入れ可能である複数の凹部を有するものであるときは、例えば、一の商品陳列用具の外側の箱状体とこれから引き出された内側の箱状体とに前記他の商品陳列用具を跨った状態で載置して使用するとき、前記他の商品陳列用具の外側の箱状体は、その脚部が前記一の商品陳列用具における前記凹部に受け入れられ、このために前記一の商品陳列用具の外側の箱状体に接してこれに支持され、かつ脚部により前記一の商品陳列用具の内側の箱状体上に支持される。このことから、商品の載置により前記他の商品陳列用具に傾きが生じることはない。
【００１０】
前記内側の箱状体の両側壁に一対のつば部を設け、かつ前記外側の箱状体の内部に複数対の肩部を設けるときは、前記外側の箱状体からの前記内側の箱状体の出し入れについて、前記肩部に沿っての両つば部の滑動によりよりスムースに行うことができる。両箱状体は、それぞれ、開放底面を有するものとすることができる。
【発明を実施するための最良の形態】
【００１１】
図１及び図２を参照すると、本発明に係る商品陳列用具が全体に１０で示されている。
【００１２】
商品陳列用具１０は、入れ子をなす外側の箱状体１２及び内側の箱状体１４を含む。図示の両箱状体１２，１４は全体に扁平な直方体の外形を有し、また、全体に矩形状を呈する開放底面２２，２４（図２）を有する。
【００１３】
商品陳列用具１０はその単独での使用のほか、図１に示すように、商品陳列用具１０の上に重ね置かれたこれと同一の他の商品陳列用具１６と共に使用することができる。前記商品陳列用具は、内側の箱状体１４が外側の箱状体１２内に収容された状態で、あるいは外側の箱状体１２から引き出された状態で使用される。また、図３及び図４に示すように、商品陳列用具１０と同一のさらに他の商品陳列用具１８，２０を商品陳列用具１６の上に重ね置いて使用することができる。あるいは、商品陳列用具１０の横に前記他の商品陳列用具（図示せず）を並べて使用することができる。
【００１４】
図２に示すように、内外２つの箱状体１２，１４は、それぞれ、互いに相対する一対の側壁２６，３０を有する。
【００１５】
内側の箱状体１４の各側壁３０は、内側の箱状体１４が外側の箱状体１２内に収容された状態において、外側の箱状体１２の各側壁２６に相対する。図示の例では、両箱状体１２，１４の側壁２６，３０は、これらの下端が同じ高さ位置にある。符号３１は、外側の箱状体の両側壁２６に直交する他の側壁を示す。外側の箱状体１２は、側壁３１に相対する開放側面を有し、該開放側面を通して内側の箱状体１４の出し入れがなされる。内側の箱状体１４の各側壁及びこれに連なる頂壁の構成は、外側の箱状体１２と同様である。
【００１６】
好ましくは、内側の箱状体１４は、その両側壁３０の上部にそれぞれ設けられ該側壁に沿って伸びる一対のつば部２８を有する。他方、外側の箱状体１２は、その内部にその長手方向に互いに間隔をおいて設けられその両側壁２６に沿って伸びる複数対の肩部３２を有する。
【００１７】
内側の箱状体１４の両つば部２８はそれぞれ外側の箱状体１２の複数対の肩部３２上にあってこれに接している。このため、内側の箱状体１４はその両つば部２８を介して外側の箱状体１２に吊持され、外側の箱状体１２からの出し入れの際、肩部３２上をこれらの長手方向へ滑動する。また、このとき、内側の箱状体１４は、そのつば部２８又はその側壁３０において、外側の箱状体１２の側壁２６又は肩部３２に接することによるこれらの長手方向への案内作用を受ける。
【００１８】
図示の例では、肩部３２は、外側の箱状体１２の各側壁２６の内面に間隔をおいて設けられこれと一体をなす複数（図示の例では２つ）の板状体３３（図４）の頂部と、後記板状体３８の頂部とにより規定されている。
【００１９】
本発明にあっては、外側の箱状体１２が複数（図示の例では６つ）の脚部３４を有し、また内側の箱状体１４が複数（図示の例では２つ）の脚部３６を有する。より詳細には、外側の箱状体１２の各側壁２６に３つの脚部３４が設けられ、また内側の箱状体１４の各側壁３０に１つの脚部３６が設けられている。
【００２０】
３つの脚部３４は、外側の箱状体１２の各側壁２６の内面に設けられこれと一体をなす３つの板状体３８の一部（下部）からなり、各側壁２６からその下方へ突出している。
【００２１】
また、１つの脚部３６は、内側の箱状体１４の各側壁３０の端部からその下方へ突出している。各側壁における脚部３４，３６の数量は、図示の例に代えて、任意に設定することができる。
【００２２】
図示の例では、脚部３４，３６の側壁２６，３０からの突出長さが同一に設定され、また前記突出長さは、両箱状体１２，１４相互間の段差すなわち外側の箱状体１２の頂壁４０の厚さ寸法に相当する大きさとされている。なお、前記突出長さは、側壁２６，３０の上下方向長さによって異なる。
【００２３】
このことから、両箱状体１２，１４は、脚部３４，３６により、同一平面（例えば水平面）上に該平面と平行に支持される。その結果、商品陳列用具１０の使用に際し、外側の箱状体１２から内側の箱状体１４を引き出した状態におくとき、これらの箱状体１２，１４の上に商品を載せることによって生じる商品重量のアンバランスを原因とする両箱状体１２，１４相互間の傾斜状態の現出を防止することができる。
【００２４】
図２、図３及び図４に示すように、商品陳列用具の外側の箱状体１２は複数の凹部４２を有する。これらの凹部４２は、他の商品陳列用具１６，１８，２０の脚部３４を受け入れ可能である。
【００２５】
図示の例では、５つの凹部４２が外側の箱状体１２の頂壁４０に設けられ、各側壁２６の上方位置において上方に向けて開放している。これらの凹部４２はそれぞれ矩形状を呈し、各側壁２６の長手方向へ互いに等しい間隔をおいて配置されている。
【００２６】
図３及び図４に示すように、内側の箱状体１４が外側の箱状体１２内に収容された状態の商品陳列用具１８の上に同様の状態の他の商品陳列用具２０が重ね置かれるとき、商品陳列用具１８の各５つの凹部４２のうちの３つが、商品陳列用具２０の各３つの脚部３４を受け入れる。このとき、上方の商品陳列用具２０の両側壁２６が下方の商品陳列用具の頂壁４０に接し、上方の商品陳列用具２０は下方の商品陳列用具１８の頂壁４０上に支持される。
【００２７】
また、内側の箱状体１４が外側の箱状体１２から引き出された状態の商品陳列用具１６上に、これらの箱状体１２，１４に跨った状態で前記状態の商品陳列用具１８を載せるときは、例えば、下方の商品陳列用具１６の５つの凹部４２のうちの１つが、上方の商品陳列用具１８の３つの脚部３４のうちの１つを受け入れる。残りの２つの脚部３４は、内側の箱状体の脚部３６と共に、下方の商品陳列用具１６の内側の箱状体１２上に載る。
【００２８】
さらに、内側の箱状体１４が外側の箱状体１２から引き出された状態の商品陳列用具１０上に、前記状態の商品陳列用具１６を載せるとき、例えば、下方の商品陳列用具１０の５つの凹部４２のうちの１つが、上方の商品陳列用具１６の３つの脚部３４のうちの１つを受け入れる。残りの２つの脚部３４は、内側の箱状体１２の脚部３６と共に、下方の商品陳列用具１０の内側の箱状体１２の上に載る。
【００２９】
前記したところにより、内側の箱状体１４が外側の箱状体１２内に収容された状態の商品陳列用具１８（図１に示す例では、商品陳列用具１６）が、商品陳列用具１６（同商品陳列用具１０）の外側の箱状体１２とこれから引き出された内側の箱状体１４とに跨った状態において水平に維持され、これが傾斜することを防止される（想像線で示す商品陳列用具１６を参照）。
【００３０】
このことは、共に内側の箱状体１４が外側の箱状体１２から引き出された状態の２つの商品陳列用具１０，１６の一方をその他方の上に載置する場合においても同様である。
【図面の簡単な説明】
【００３１】
【図１】一の商品陳列用具及びこれに重ね置かれた商品陳列用具の側面図である。
【図２】商品陳列用具の横断面図である。
【図３】重ね置かれた４つの商品陳列用具の斜視図である。
【図４】最下段の商品陳列用具の側壁を切り欠いて示す、図３に示す商品陳列用具の部分断面斜視図である。
【符号の説明】
【００３２】
１０，１６，１８，２０  商品陳列用具
１２，１４  大小の箱状体
３４，３６  脚部
４２  凹部
【図１】
2005288033.tif 000003
【図２】
2005288033.tif 000004
【図３】
2005288033.tif 000005
【図４】
2005288033.tif 000006